(57)【要約】【課題】筆記芯の折損を確実に回避することができると共に、筆記感が滑らかで、メンテナンス性に優れたシャープペンシルを提供する。【解決手段】筆記芯が挿通する口金と、外周面に被押圧部を設けた前筒部材と、外方及び後方が開放され放射状に複数配列した溝部を有し弾性体より大径であるフランジを設けた後筒部材と、を備え、前筒部材に設けられた雌螺子と後筒部材に設けられた雄螺子とが螺合しており、前筒部材に口金の後方が収容され、軸筒が、前方領域に押圧部を有しており、押圧部と被押圧部との少なくとも一方は、軸方向後方に向かって次第に大径となるテーパ面であり、芯繰出ユニットの前方領域が軸筒内において傾動する前においては、押圧部と被押圧部とが互いに当接しており、芯繰出ユニットの前方領域が軸筒内において傾動する際には、フランジの前端縁が軸筒の内面に当接し、押圧部が被押圧部を当該軸筒に対して軸方向後方に相対移動させる。【選択図】図３
2018001500.tif 000002
【特許請求の範囲】
【請求項１】
軸筒と、
前方領域が前記軸筒内において傾動可能であるように後方領域が前記軸筒内に支持された、筆記芯を繰り出すための芯繰出ユニットと、
前記芯繰出ユニットの前方領域の外周面に設けられた円形状のフランジと、
前記軸筒の前記フランジよりも軸方向後方の内周面に設けられた突出部と、
前記フランジと前記突出部との間に圧縮状態で配置された伸縮可能な弾性体と、
を備え、
前記芯繰出ユニットが、
前記筆記芯が前後動可能に挿通する口金と、
外周面に被押圧部を設けた前筒部材と、
外方及び後方が開放され放射状に複数配列した溝部を有し前記弾性体より大径である前記フランジを設けた後筒部材と、
を備え、
前記前筒部材に設けられた雌螺子と後筒部材に設けられた雄螺子とが螺合しており、
前記前筒部材に前記口金の後方が収容され、
前記軸筒が、前方領域に押圧部を有しており、
前記押圧部と前記被押圧部との少なくとも一方は、軸方向後方に向かって次第に大径となるテーパ面であり、
前記芯繰出ユニットの前方領域が前記軸筒内において傾動する前においては、前記押圧部と前記被押圧部とが互いに当接しており、前記芯繰出ユニットの前方領域が前記軸筒内において傾動する際には、前記フランジの前端縁が前記軸筒の内面に当接し、前記押圧部が前記被押圧部を当該軸筒に対して軸方向後方に相対移動させるようになっている
ことを特徴とするシャープペンシル。
【発明の詳細な説明】
【技術分野】
【０００１】
本発明は、ノック操作等により筆記芯を所定量だけ口金の先端から繰り出すことにより筆記が可能なシャープペンシルに関する。
【背景技術】
【０００２】
従来より、シャープペンシルを用いて筆記を行う際に筆記芯に高い筆圧が加えられると、口金の先端から露出された筆記芯が容易に折損してしまう、という問題があった。筆記芯の折損は、筆圧が一定であれば、シャープペンシルの軸筒の軸方向と紙面とのなす角度が小さくなるほど（軸筒を寝かせるほど）、あるいは、口金の先端から露出される筆記芯の長さが長くなるほど、顕著である。
【０００３】
このような問題に対し、特許文献１（特開２０１５−１２３６８９）には、筆記芯に高い筆圧が加えられた際に、筆圧の軸方向の成分と筆圧の当該軸方向に垂直な成分とをそれぞれ異なる機構により吸収して筆記芯の折損を低減させる、というシャープペンシルが記載されている。
【０００４】
具体的には、特許文献１のシャープペンシルは、口金が弾性体（コイルバネ）を介して軸筒に支持されており、当該口金は、軸方向後方に向かって次第に小径となるカム斜面を有している。また、軸筒には、カム斜面を軸方向前方に押圧する押圧部が形成されている。このような構成により、筆圧の軸方向に垂直な成分（軸筒径外方向の力）に起因して、口金のカム斜面が軸筒の押圧部によって軸方向前方に押圧されて、軸筒の先端から口金が前方にスライドする（飛び出す）。これにより、口金の先端から露出される筆記芯の長さが減少されるようになっている。
更に、特許文献１のシャープペンシルは、筆記芯を繰り出す芯繰出ユニットが、弾性体（コイルバネ）によって軸方向前方（軸方向における口金の先端方向）に付勢された状態で、軸方向に相対移動可能に軸筒に支持されている。そして、筆記芯を含む芯繰出ユニットが軸筒に対して軸方向後方に相対移動することによって、筆圧の軸方向の成分が吸収される。この結果、口金の先端から露出される筆記芯の長さが一層減少されて、筆記芯の折損が低減されるようになっている。
【先行技術文献】
【特許文献】
【０００５】
【特許文献１】特開２０１５−１２３６８９
【発明の概要】
【発明が解決しようとする課題】
【０００６】
特許文献１に記載されているシャープペンシルでは、筆記芯に高い筆圧が加えられた際に、軸筒に対して口金が前方にスライドできる最大の長さ（ストローク）に亘って当該口金が一気にスライドする（飛び出す）ようになっている。
【０００７】
これに対して、本件発明者は、筆記芯に高い筆圧が加えられた際に、口金に対して筆記芯が後方にスライドする構成を開発し、そのような構成の方が筆記感が滑らかであると感じる使用者が多いことを確認した。
更に、芯繰出ユニット内で筆記芯が折れた場合には、使用者がメンテナンスを行える必要があり、芯繰出ユニットを構成する小さい部品同士の着脱のし易さが求められていた。
【０００８】
本発明は、以上のような知見に基づいており、その目的は、筆記芯に高い筆圧が加えられた際に当該筆記芯の折損を確実に回避することができると共に、筆記感が滑らかで、メンテナンス性に優れたシャープペンシルを提供することである。
【課題を解決するための手段】
【０００９】
本発明は、
「軸筒と、
前方領域が前記軸筒内において傾動可能であるように後方領域が前記軸筒内に支持された、筆記芯を繰り出すための芯繰出ユニットと、
前記芯繰出ユニットの前方領域の外周面に設けられた円形状のフランジと、
前記軸筒の前記フランジよりも軸方向後方の内周面に設けられた突出部と、
前記フランジと前記突出部との間に圧縮状態で配置された伸縮可能な弾性体と、
を備え、
前記芯繰出ユニットが、
前記筆記芯が前後動可能に挿通する口金と、
外周面に被押圧部を設けた前筒部材と、
外方及び後方が開放され放射状に複数配列した溝部を有し前記弾性体より大径である前記フランジを設けた後筒部材と、
を備え、
前記前筒部材に設けられた雌螺子と後筒部材に設けられた雄螺子とが螺合しており、
前記前筒部材に前記口金の後方が収容され、
前記軸筒が、前方領域に押圧部を有しており、
前記押圧部と前記被押圧部との少なくとも一方は、軸方向後方に向かって次第に大径となるテーパ面であり、
前記芯繰出ユニットの前方領域が前記軸筒内において傾動する前においては、前記押圧部と前記被押圧部とが互いに当接しており、前記芯繰出ユニットの前方領域が前記軸筒内において傾動する際には、前記フランジの前端縁が前記軸筒の内面に当接し、前記押圧部が前記被押圧部を当該軸筒に対して軸方向後方に相対移動させるようになっている
ことを特徴とするシャープペンシル。」である。
【００１０】
本発明によれば、筆記芯に高い筆圧が加えられた際に、筆圧の軸方向に垂直な成分によって、芯繰出ユニットの前方領域が軸筒内において傾動される。これにより、筆記芯を含む芯繰出ユニットが弾性体の付勢力に対抗して軸筒に対して軸方向後方に相対移動されるため、口金の先端から露出される筆記芯の長さが減少される。更に、筆圧の軸方向の成分によって、筆記芯を含む芯繰出ユニットが弾性体の付勢力に対抗して軸筒に対して軸方向後方に更に相対移動され、口金の先端から露出される筆記芯の長さが一層減少される。これらのことにより、筆記芯に高い筆圧が加えられた際に当該筆記芯の折損が確実に回避される。また、この時、口金が軸筒に対して軸方向前方に相対移動される（飛び出す）のではなく、筆記芯を含む芯繰出ユニットが口金に対して軸方向後方に相対移動されることによって、当該口金から露出される筆記芯の長さが減少される。このことにより、筆記感が滑らかなシャープペンシルを提供することができる。
また、口金内で筆記芯が折れた場合には、芯繰出ユニットにおける前筒部材と後筒部材との螺合を外すことにより、口金内で折れた筆記芯を取り除くことができる。軸筒内に配設された芯繰出ユニットの前筒部材及び後筒部材は小さな部品であり、後筒部材のフランジの後方には弾性体が接しているが、フランジが弾性体より大径であり、且つ外方及び後方が開放された放射状に複数配列した溝部を設けたことにより、使用者が前筒部材と後筒部材とを螺合する場合、あるいは螺合を外す場合、使用者はフランジの後方から摘まむので、前筒部材と後筒部材とが互いに近付くように力が加えられた状態となり、この状態で回転方向の力が掛かるので、前筒部材と後筒部材との着脱がし易く、メンテナンス性が高いシャープペンシルを得ることができる。
【００１１】
好ましくは、前記芯繰出ユニットの前記被押圧部が前記テーパ面であり、当該テーパ面は、前記軸筒の軸方向に対して２０°〜６０°の間のいずれかの角度を有しており、前記弾性体は、コイルバネであり、当該コイルバネによる付勢力に対抗して前記被押圧部を前記軸筒に対して軸方向後方に相対移動させるために必要な荷重は、０．５Ｎ〜８Ｎの間のいずれかの値である。
【００１２】
この場合、筆記芯に高い筆圧が加えられた際に、筆記芯を含む芯繰出ユニットが軸筒に対して軸方向後方に確実に相対移動され得るため、筆記芯の折損が確実に回避される。一方、筆記芯に適正な筆圧が加えられている際に、筆記芯を含む芯繰出ユニットが軸筒に対して軸方向後方に実質的に相対移動されないため、書き味を損ねることがない。
【００１３】
以上のようなシャープペンシルは、好ましくは、前記芯繰出ユニットの先端領域に配置され、当該芯繰出ユニットに対して前記軸筒の軸方向に相対移動可能な口金を更に備え、前記芯繰出ユニットは、前記口金によって前端部が取り囲まれた芯繰出ユニット本体と、前記口金を当該芯繰出ユニット本体に抜け止め状態で保持する保持部材と、を有している。
【００１４】
この場合、シャープペンシルの組立時や分解時において、口金が不所望に芯繰出ユニットから抜け落ちることがないため、作業性が良好である。
【発明の効果】
【００１５】
本発明によれば、筆記芯に高い筆圧が加えられた際に、筆圧の軸方向に垂直な成分によって、芯繰出ユニットの前方領域が軸筒内において傾動される。これにより、筆記芯を含む芯繰出ユニットが弾性体の付勢力に対抗して軸筒に対して軸方向後方に相対移動されるため、口金の先端から露出される筆記芯の長さが減少される。更に、筆圧の軸方向の成分によって、筆記芯を含む芯繰出ユニットが弾性体の付勢力に対抗して軸筒に対して軸方向後方に更に相対移動され、口金の先端から露出される筆記芯の長さが一層減少される。これらのことにより、筆記芯に高い筆圧が加えられた際に当該筆記芯の折損が確実に回避される。また、この時、口金が軸筒に対して軸方向前方に相対移動される（飛び出す）のではなく、筆記芯を含む芯繰出ユニットが口金に対して軸方向後方に相対移動されることによって、当該口金から露出される筆記芯の長さが減少される。このことにより、筆記感が滑らかなシャープペンシルを提供することができる。
また、口金内で筆記芯が折れた場合には、芯繰出ユニットにおける前筒部材と後筒部材との螺合を外すことにより、口金内で折れた筆記芯を取り除くことができる。軸筒内に配設された芯繰出ユニットの前筒部材及び後筒部材は小さな部品であり、後筒部材のフランジの後方には弾性体が接しているが、フランジが弾性体より大径であり、且つ外方及び後方が開放された放射状に複数配列した溝部を設けたことにより、使用者が前筒部材と後筒部材とを螺合する場合、あるいは螺合を外す場合、使用者はフランジの後方から摘まむので、前筒部材と後筒部材とが互いに近付くように力が加えられた状態となり、この状態で回転方向の力が掛かるので、前筒部材と後筒部材との着脱がし易く、メンテナンス性が高いシャープペンシルを提供することができる。
【図面の簡単な説明】
【００１６】
【図１】本発明の実施の形態のシャープペンシルの概略縦断面図である。
【図２】筆記芯に筆圧が加えられていない場合の、図１のシャープペンシルの前方領域の概略縦断面図である。
【図３】筆記芯に筆圧が加えられている場合の、図１のシャープペンシルの前方領域の概略縦断面図である。
【図４】図１のシャープペンシルにおける芯繰出ユニットの斜視図である。
【図５】口金内で折れた筆記芯を取り除く状態を示す芯繰出ユニットの斜視図である。
【発明を実施するための形態】
【００１７】
以下に、添付の図面を参照して本発明の実施の形態を詳細に説明する。
【００１８】
図１は、本発明の第１の実施の形態のシャープペンシル１００の概略縦断面図であり、図２は、筆記芯７０に筆圧が加えられていない場合の、図１のシャープペンシル１００の前方領域の概略縦断面図であり、図３は、筆記芯７０に筆圧が加えられている場合の、図１のシャープペンシル１００の前方領域の概略縦断面図である。
【００１９】
本実施の形態のシャープペンシル１００は、図１乃至図３に示すように、軸筒１０と、軸筒１０内に支持され、前方領域が当該軸筒１０内において傾動可能な、筆記芯７０を繰り出すための芯繰出ユニット４０と、を備えている。本実施の形態の軸筒１０は、ポリカーボネート製であり、後軸２０と、後方領域が後軸２０の前方領域に固定（螺着）された前軸３０と、により構成されている。
【００２０】
本実施の形態の芯繰出ユニット４０は、軸筒１０の内部で当該軸筒１０の軸方向に延在するポリプロピレン製の芯パイプ４１と、芯パイプ４１の前端部にコネクタ４９を介して固定された黄銅製のチャック４３と、チャック４３の前方領域に外嵌された黄銅製の締めリング４２と、チャック４３を取り囲む外筒４５と、外筒４５に対して芯パイプ４１を軸方向後方に付勢するリターンスプリング４４と、を有している。
【００２１】
具体的には、図２及び図３に示すように、外筒４５は、前方領域の内周面においてチャック４３を支持すると共に後方領域の外周面にフランジ４５ｃを有する後筒部材４５ａと、後筒部材４５ａの前端領域に螺着されチャック４３の前端部を超えて軸方向前方に延在する前筒部材４５ｂと、を有している。また、後筒部材４５ａは、前端部に、内鍔４５ｄを有しており、この内鍔４５ｄとコネクタ４９との間にリターンスプリング４４が圧縮状態で配置されており、外筒４５に対して芯パイプ４１を軸方向後方に付勢している。この状態で、チャック４３は、締めリング４２によって締められて筆記芯７０を後退しないように挟持している。
【００２２】
また、軸筒１０（後軸２０）は、外筒４５のフランジ４５ｃよりも軸方向後方の内周面に突出部２１を有しており、この突出部２１とフランジ４５ｃとの間に、伸縮可能なコイルバネ６０が圧縮状態で配置されている。このような構成により、筆記芯７０を含む芯繰出ユニット４０は、コイルバネ６０の付勢力に対抗して軸筒１０に対して軸方向後方への相対移動が可能となっている。
【００２３】
また、フランジ４５ｃの外径は、コイルバネ６０の外径よりも大きくなっており、前軸３０の後方領域の内径は、フランジ４５ｃの外径よりも大きくなっており、前軸３０の内周面とフランジ４５ｃの外周面との間に隙間が形成されている。このことにより、軸筒１０に対する芯繰出ユニット４０の傾動が許容されている。フランジ４５ｃの前端縁４５ｅは、後筒部材４５ａの後端が当接しており、芯繰出ユニット４０が傾動した場合には、フランジ４５ｃの円形状の前端縁４５ｅが前軸３０の内周面に当接する。また、フランジ４５ｃには、外方及び後方が開放された複数の放射状の溝部４５ｆが形成されており、溝部４５ｆはフランジ４５ｃの前端縁４５ｅ側にないことから、前軸３０の内周面に対してフランジ４５ｃが一様に当接できるようになっている。
【００２４】
また、芯繰出ユニット４０の先端領域には、黄銅製の口金５２が取り付けられている。本実施の形態の口金５２は、芯繰出ユニット４０の先端領域に配置され、芯繰出ユニット４０に対して軸筒１０の軸方向に相対移動可能となっている。口金５２は、図２及び図３に示すように、筆記芯７０を案内する筒状の前方領域５２ａと、当該前方領域５２ａよりも大径のスリーブ状の後方領域５２ｂと、によって構成されている。この後方領域５２ｂは、前方の小径部５２ｃと後方の拡径部５２ｄとを有しており、小径部５２ｃと拡径部５２ｄとは肩部５２ｅによって接続されている。
【００２５】
この口金５２は、前筒部材４５ｂと、当該前筒部材４５ｂに内嵌固着した筒状の保持部材４０ｂとによって抜け止め状態且つ軸筒１０の軸方向にスライド可能な状態で、芯繰出ユニット本体４０ａの先端領域に取り付けられている。具体的には、図２及び図３に示すように、前筒部材４５ｂは、口金５２の後方領域５２ｂを取り囲む筒状の本体部４５ｇと、本体部４５ｇの後端領域に形成された雌螺子部４５ｈと、を有している。雌螺子部４５ｈは、後筒部材４５ａの前端領域に形成された雄螺子部４５ｉに螺着され、前筒部材４５ｂと、後筒部材４５ａと、保持部材４０ｂと、が一体に構成されている。保持部材４０ｂは、締めリング４２よりも軸方向前方の内周面に当該締めリング４２の前進を途中で規制する当接段部４０ｃを有している。口金５２は、後方領域５２ｂが前筒部材４５ｂの内部で軸方向にスライド可能に保持され、前筒部材４５ｂからの不所望な抜け落ちが防止されている。この状態で、口金５２の拡径部５２ｄの中央部に形成した段部５２ｆと保持部材４０ｂの肩部４０ｄとの間に、伸縮可能なコイルバネ５５が圧縮状態で配置されている。また、前筒部材４５ｂの前端は鍔部３３を有する開口部となっており、この開口部から口金５２の前方領域５２ａが前方へ突出している。このような構成により、芯繰出ユニット４０が軸筒１０に対して軸方向後方に相対移動された際にも、コイルバネ５５の弾発力により、口金５２と軸筒１０の内鍔３３との当接状態が維持されるようになっている。これにより、筆記芯７０を含む芯繰出ユニット４０が軸筒１０に対して軸方向後方に相対移動された際に、口金５２の前端部から露出される筆記芯７０の長さが減少されるようになっている。
【００２６】
前筒部材４５ｂは、前端部に被押圧部５３を有している。本実施の形態の被押圧部５３は、軸筒１０の軸方向に対して４０°の角度を有するテーパ面として構成されている。また、軸筒１０（前軸３０）は、前方領域に内周面に張り出した押圧部３２を有している。本実施の形態では、図２に示すように、芯繰出ユニット４０が傾動する前においては、押圧部３２と被押圧部５３とが互いに当接している。そして、図３に示すように、芯繰出ユニット４０が傾動する際に、押圧部３２が被押圧部５３を軸筒１０に対して軸方向後方に相対移動させるようになっている。本実施の形態では、コイルバネ６０のバネ定数は１６００Ｎ／ｍであり、当該コイルバネ６０による付勢力に対抗して被押圧部５３（テーパ面）を軸筒１０に対して軸方向後方に相対移動させるために必要な荷重は、５．０Ｎである。また、コイルバネ５５のバネ定数は１０００Ｎ／ｍであり、コイルバネ６０の付勢力よりコイルバネ５５の付勢力を小さく設定することで、図２に示す外筒４５が静止した状態から、図３に示す外筒４５が動き出す状態まで、口金５２と軸筒１０の内鍔３３との当接状態が維持される。
【００２７】
また、図１に示すように、芯繰出ユニット４０は、芯パイプ４１の後端に取り付けられて芯パイプ４１を外筒４５に対して軸方向前方に押圧するためのノック部４８を、更に有している。本実施の形態のノック部４８は、軸方向前方に、芯パイプ４１の後端領域に外嵌されるスリーブ部４８ａを有しており、軸方向後方に円柱状の消しゴム８０を取外可能に保持するホルダ部４８ｂを有している。スリーブ部４８ａの内部空間とホルダ部４８ｂの内部空間とは、開口によって連通されている。このことにより、消しゴム８０をホルダ部４８ｂから取り外すことによって、当該開口から筆記芯７０を芯ホルダ４１内に投入できるようになっている。また、ホルダ部４８ｂには、消しゴム８０の後方を覆うドーム状のノブ８１が取外可能に外嵌されている。
【００２８】
更に、本実施の形態では、後軸２０の後端領域に頭冠２３が固定されている。頭冠２３の内周面には軸方向後方に面した段部２３ａが形成されている。また、ホルダ部４８ｂの外周にフランジ部４８ｃが形成されており、このフランジ部４８ｃと段部２３ａとの間に、伸縮可能なスプリング４８ｄが圧縮状態で配置されている。
【００２９】
次に、本発明の実施の形態のシャープペンシル１００の作用について説明する。
【００３０】
まず、紙面に対して筆記を行うに先立ち、必要に応じて、ノブ８１と消しゴム８０とがホルダ部４８ｂから取り外され、スリーブ部４８ａとホルダ部４８ｂとを連通する開口を介して筆記芯７０が芯パイプ４１内に投入される。そして、消しゴム８０とノブ８１とがホルダ部４８ｂに取り付けられ、口金５２の前端が下方に向けられた状態でノック部４８（ノブ８１）が軸方向前方に向かって押圧（ノック）される。これにより、芯パイプ４１、コネクタ４９、チャック４３及び締めリング４２がリターンスプリング４４の付勢力に対抗して前進させられる。この前進の途中で、締めリング４２のみが外筒４５の前筒部材４５ｂに形成された当接段部４０ｃに当接する。これにより、チャック４３から締めリング４２が後方に外され、当該チャック４３が開放されて筆記芯７０が繰り出される。押圧（ノック）時には、ノック部４８のフランジ部４８ｃと頭冠２３の段部２３ａとの間に配置されたスプリング４８ｄの付勢力によって、適度な抵抗感がもたらされる。
【００３１】
そして、ノック部４８（ノブ８１）の押圧状態が解除されると、芯パイプ４１がチャック４３と共にリターンスプリング４４の付勢力によって後退させられる。これに伴って、締めリング４２が再びチャック４３の前方領域に外嵌され、チャック４３が締められる。これにより、筆記芯７０が後退しないように挟持され、筆記芯７０が繰り出された状態が維持される。そして、この一連の押圧操作が適宜繰り返されることにより、口金５２の先端から筆記芯７０が所望の長さ露出される（繰り出される）（図２参照）。そして、使用者によって前軸３０が把持され、紙面に対して筆記芯７０を当接させつつ軸筒１０を所望に移動させることによって、筆記が行われる。
【００３２】
筆記の際、軸筒１０は、その軸方向が紙面に対して鋭角をなす（図２及び図３参照）ように把持されることが一般的である。このため、筆記芯７０には、軸筒１０の軸方向に垂直な成分と当該軸方向の成分とを含む筆圧が加えられる。本実施の形態のシャープペンシル１００は、筆記時に筆記芯７０に高い筆圧が加えられると、筆圧の軸方向に垂直な成分と軸方向の成分とをそれぞれ吸収して、口金５２の先端から露出された筆記芯７０の折損を回避する。
【００３３】
具体的には、図３に示すように、筆圧の軸方向に垂直な成分によって芯繰出ユニット４０の前方領域が傾動し、前軸３０の押圧部３２によって前筒部材４５ｂの被押圧部５３が軸筒１０の軸方向後方に押圧される。これにより、コイルバネ６０の付勢力に対抗して、筆記芯７０を含む芯繰出ユニット４０が軸筒１０に対して軸方向後方に相対移動される。一方、口金５２は、コイルバネ５５によって保持部材４０ｂに対して軸方向前方に付勢されているため、軸筒１０に対して軸方向後方には相対移動されない。これらのことにより、口金５２の先端から露出される筆記芯７０の長さが減少される。
【００３４】
これと同時に、筆圧の軸方向の成分によって、筆記芯７０が軸筒１０に対して軸方向後方に押圧され得る。これにより、コイルバネ６０の付勢力に対抗して、筆記芯７０を含む芯繰出ユニット４０が軸方向後方に更に相対移動される。すなわち、口金５２の先端から露出される筆記芯７０の長さが一層減少され得て、当該筆記芯７０の折損が回避される。
【００３５】
そして、筆記芯７０に加えられている筆圧が弱められると、コイルバネ６０の付勢力によって、筆記芯７０を含む芯繰出ユニット４０が軸筒１０に対して軸方向前方に押し戻される。これにより、初期状態（図２参照）が復元される。
【００３６】
以上のような本実施の形態によって、筆記芯７０に高い筆圧が加えられた際に、筆圧の軸方向に垂直な成分によって、芯繰出ユニット４０の前方領域が軸筒１０内において傾動される。これにより、筆記芯７０を含む芯繰出ユニット４０がコイルバネ６０の付勢力に対抗して軸筒１０に対して軸方向後方に相対移動されるため、口金５２の先端から露出される筆記芯７０の長さが減少される。更に、筆圧の軸方向の成分によって、筆記芯７０を含む芯繰出ユニット４０がコイルバネ６０の付勢力に対抗して軸筒１０に対して軸方向後方に更に相対移動され、口金５２の先端から露出される筆記芯７０の長さが一層減少される。これらのことにより、筆記芯７０に高い筆圧が加えられた際に当該筆記芯７０の折損が回避される。また、この時、口金５２が軸筒１０に対して軸方向前方に相対移動される（飛び出す）のではなく、筆記芯７０を含む芯繰出ユニット４０が口金５２に対して軸方向後方に相対移動されることによって、口金５２から露出される筆記芯７０の長さが減少される。このため、口金５２の先端と紙面とが当接した際には、筆圧をわずかに弱めるだけでコイルバネ６０の付勢力によって口金５２から露出される筆記芯７０の長さが速やかに増大されるため、口金５２の先端と紙面との引っ掛かりを速やかに解消することができる。
【００３７】
次に、本発明の実施の形態のシャープペンシル１００の口金５２内で折れた筆記芯７０を取り除く状態について説明する。
【００３８】
図４に示すように、本実施の形態のシャープペンシル１００は、後軸２０と前軸３０との螺合状態を解除することにより、芯繰出ユニット４０を露出させることができる。また、図５に示すように、芯繰出ユニット４０は、前筒部材４５ｂと後筒部材４５ａとの螺合状態を解除することにより、口金５２（保持部材４０ｂ）の内部で折れた筆記芯を取り除くことができる。本実施の形態の芯繰出ユニット４０は、後筒部材４５ａのフランジ４５ｃに、外方及び後方が開放された複数の放射状の溝部４５ｆが形成されていることから、図５に示すように、前筒部材４５ｂと後筒部材４５ａとを螺合する場合、あるいは螺合を外す場合、使用者はフランジ４５ｃの後方から摘まむので、結果、図５の矢印Ｘ及び矢印−Ｘが示すように、前筒部材４５ｂと後筒部材４５ａとが互いに近付くように力が加えられた状態となり、この状態で矢印Ｚ及び矢印−Ｚが示す回転方向の力が掛かることで、前筒部材４５ｂの雌螺子部４５ｈと後筒部材４５ａの雄螺子部４５ｉとの着脱がし易くなり、メンテナンス性が高いシャープペンシルを得ることができた。
【符号の説明】
【００３９】
１０  軸筒
２０  後軸
２１  突出部
２３  頭冠
２３ａ  段部
３０  前軸
３２  押圧部
３３  鍔部
４０  芯繰出ユニット
４０ａ  芯繰出ユニット本体
４０ｂ  保持部材
４０ｃ  当接段部
４０ｄ  肩部
４１  芯パイプ、
４２  締めリング
４３  チャック
４４  リターンスプリング
４５  外筒
４５ａ  後筒部材
４５ｂ  前筒部材
４５ｃ  フランジ
４５ｄ  内鍔
４５ｅ  前端縁
４５ｆ  溝部
４５ｇ  本体部
４５ｈ  雌螺子部
４５ｉ  雄螺子部
４９  コネクタ
４８  ノック部
４８ａ  スリーブ部
４８ｂ  ホルダ部
４８ｃ  フランジ部
４８ｄ  スプリング
５２  口金
５２ａ  前方領域
５２ｂ  後方領域
５２ｃ  小径部
５２ｄ  拡径部
５２ｅ  肩部
５２ｆ  段部
５３  被押圧部
５５  コイルバネ
６０  コイルバネ
７０  筆記芯
８０  消しゴム
８１  ノブ
１００  シャープペンシル
【図１】
2018001500.tif 000003
【図２】
2018001500.tif 000004
【図３】
2018001500.tif 000005
【図４】
2018001500.tif 000006
【図５】
2018001500.tif 000007